(57)【特許請求の範囲】
【請求項１】
ノック棒のノック操作に連動して前後動され筆記芯の解除と把持を行う芯固定チャックと、前記芯固定チャックの前方に配置され前記筆記芯を摩擦により保持する保持チャックとが具備され、前記ノック操作の繰り返しにより前記筆記芯を順次繰り出すことができるように構成したシャープペンシルであって、
前記ノック操作により前記芯固定チャックによる筆記芯の把持が解除されている状態において、前記筆記芯の補給口が開口される芯補給口の開閉機構が備えられ、かつ前記保持チャックは、前記筆記芯の繰り出し口の直近に配置されていることを特徴とするシャープペンシル。
【請求項２】
前記芯補給口の開閉機構は、前記ノック棒に取付けられ、軸方向に筆記芯の導入パイプを備えたノックカバーと、前記ノックカバーのノック操作による前進動作により、前記筆記芯の導入パイプの先端部が挿入されて筆記芯の補給口が開口される可撓性の素材による開閉弁とにより構成されていることを特徴とする請求項１に記載されたシャープペンシル。
【請求項３】
前記開閉弁が、薄膜状のゴム素材に切り込み部を施すことにより構成され、前記ノック操作により前記ノックカバーに備えられた前記導入パイプの先端部が前記ゴム素材の切り込み部に挿入されて筆記芯の補給口が開口されることを特徴とする請求項２に記載されたシャープペンシル。
【請求項４】
前記芯補給口の開閉機構は、ノック操作により前記ノック棒が軸芯を中心にして回転駆動されるように構成され、前記ノック棒側に形成された開口と、ノック操作により軸方向にのみ摺動し、回転不能になされたノックカバー側に形成された開口とが軸方向で一致することで、筆記芯の補給口が開口されるように構成されていることを特徴とする請求項１に記載されたシャープペンシル。
【請求項５】
前記ノック棒は、ノック操作を受けて軸方向に前進した状態でロックされ、再度のノック操作を受けて軸方向に後退して前記ロック状態が解除されるように構成され、前記ノック棒が軸方向に前進したロック状態において、筆記芯の補給口が開口されると共に、前記芯固定チャックによる筆記芯の把持が解除されるように構成されていることを特徴とする請求項４に記載されたシャープペンシル。
【発明の詳細な説明】
【技術分野】
【０００１】
この発明は、筆記芯（替え芯）を容易に補給することができると共に、補給された筆記芯が直ちに口先部から繰り出されて筆記が可能になされるシャープペンシルに関する。
【背景技術】
【０００２】
ノック式のシャープペンシルは周知のとおり、軸筒の後端部にノックカバーとしてのキャップが着脱可能に取り付けられており、このキャップを軸方向にノック操作することで、軸筒内の芯ケースに収容された筆記芯（替え芯）が、芯固定チャックと保持チャックの作用により、軸筒先端側の口先部から順次繰り出されるように作用する。
【０００３】
この場合、筆記芯が無くなり筆記芯を補給する場合には、前記キャップを取り外して芯ケース後端部の補給口に筆記芯を補給すると共に、再び前記キャップを軸筒の後端部に装着する操作が必要になる。また前記キャップ内に消しゴムが装着されているシャープペンシルにおいては、前記キャップの着脱操作に加えて、消しゴムの着脱操作も必要になる。
【０００４】
筆記芯の補給後においては、再装着された前記キャップのノック操作を繰り返すことにより、補給された筆記芯が口先部から突出する例えば先端パイプの芯繰り出し口から除々に繰り出され、筆記が可能な状態となる。
【０００５】
前記したとおり、従来のノック式シャープペンシルによると、筆記芯が無くなったことを認識してから、筆記芯の補給を行い、再び筆記が可能になるまでには、キャップの取り外しや再装着、また筆記芯を繰り出すまで数多くのノック操作が必要であり、その煩わしさは誰しもが経験するところである。
【０００６】
そこで、本件出願人は筆記芯を補給するにあたり、キャップの取り外しや再装着の操作が省略できるようにしたシャープペンシルについて先に提案しており、これは特許文献１に開示されている。
【先行技術文献】
【特許文献】
【０００７】
【特許文献１】特開２０００−１２７６７３号公報
【発明の概要】
【発明が解決しようとする課題】
【０００８】
前記特許文献に開示されたシャープペンシルによると、キャップを軸方向に半回転させることで、筆記芯の補給口が開口されるように構成されているので、キャップの取り外しや再装着の操作を行うことなく、筆記芯の補給を容易に行うことができる。
しかしながら、筆記芯の補給後において当該筆記芯が前記した先端パイプ等の芯繰り出し口から繰り出されるまでには、多くのノック操作が必要であることは従来と変わりがない。
【０００９】
この発明は、筆記芯を補給するにあたり、キャップの取り外しや再装着の操作を不要にすると共に、筆記芯の補給後においては例えば２回程度のノック操作により、補給された前記筆記芯を先端パイプ等の芯繰り出し口より繰り出すことができるように構成したシャープペンシルを提供することを課題とするものである。
【課題を解決するための手段】
【００１０】
前記した課題を解決するためになされたこの発明に係るシャープペンシルは、ノック棒のノック操作に連動して前後動され筆記芯の解除と把持を行う芯固定チャックと、前記芯固定チャックの前方に配置され前記筆記芯を摩擦により保持する保持チャックとが具備され、前記ノック操作の繰り返しにより前記筆記芯を順次繰り出すことができるように構成したシャープペンシルであって、前記ノック操作により前記芯固定チャックによる筆記芯の把持が解除されている状態において、前記筆記芯の補給口が開口される芯補給口の開閉機構が備えられ、かつ前記保持チャックは、前記筆記芯の繰り出し口の直近に配置されていることを特徴とする。
【００１１】
この場合、一つの好ましい形態における芯補給口の開閉機構は、前記ノック棒に取付けられ、軸方向に筆記芯の導入パイプを備えたノックカバーと、前記ノックカバーのノック操作による前進動作により、前記筆記芯の導入パイプの先端部が挿入されて筆記芯の補給口が開口される可撓性の素材による開閉弁とにより構成される。
【００１２】
加えて前記開閉弁が、薄膜状のゴム素材に切り込み部を施すことにより構成され、前記ノック操作により前記ノックカバーに備えられた前記筆記芯の導入パイプの先端部が前記ゴム素材の切り込み部に挿入されて筆記芯の補給口が開口されるように構成されることが望ましい。
【００１３】
また、他の好ましい形態における芯補給口の開閉機構は、ノック操作により前記ノック棒が軸芯を中心にして回転駆動されるように構成され、前記ノック棒側に形成された開口と、ノック操作により軸方向にのみ摺動し、回転不能になされたノックカバー側に形成された開口とが軸方向で一致することで、筆記芯の補給口が開口されるように構成される。
【００１４】
この場合、前記ノック棒は、ノック操作を受けて軸方向に前進した状態でロックされ、再度のノック操作を受けて軸方向に後退して前記ロック状態が解除されるように構成され、前記ノック棒が軸方向に前進したロック状態において、筆記芯の補給口が開口されると共に、前記芯固定チャックによる筆記芯の把持が解除されるように構成することが望ましい。
【発明の効果】
【００１５】
前記したこの発明に係るシャープペンシルによると、ノック操作により芯固定チャックによる筆記芯の把持が解除されるとともに、筆記芯の補給口が開口されるように構成されているので、前記補給口から補給された筆記芯は、把持が解除された状態の芯固定チャック内に重力によってそのまま入り込む。
しかも、筆記芯を摩擦により保持する保持チャックは、例えば口先部から突出する先端パイプ等の芯繰り出し口の直近に配置されているので、補給された筆記芯の先端部はこの保持チャック部分まで即座に到達する。
【００１６】
したがって、ノックカバーを２回程度ノック操作することで、補給された筆記芯の先端部を前記繰り出し口から繰り出すことができ、これにより筆記が可能な状態になされる。それ故、筆記芯の補給において、従来において経験するキャップの取り外しや再装着、また数多く必要としたノック操作の繰り返しを不要にすることができ、筆記芯の補給時において経験する煩わしさから開放することが可能となる。
【図面の簡単な説明】
【００１７】
【図１】この発明に係るシャープペンシルの第１の実施の形態を示した中央断面図である。
【図２】図１に示すシャープペンシルの口先部およ後端部をそれぞれ拡大して示した断面図である。
【図３】後端部に配置されるゴム素材による開閉弁の構成を示した断面図および外観図である。
【図４】筆記芯を補給する様子を順に示す断面図である。
【図５】図４に続き補給された筆記芯が先端パイプの芯繰り出し口に至る様子を順に示す断面図である。
【図６】この発明に係るシャープペンシルの第２の実施の形態について、非ロック状態およびロック状態をそれぞれ示した断面図である。
【図７】図６に示すシャープペンシルのノックカバーおよびノック棒の端部付近に施される筆記芯の補給口の構成を示した斜視図である。
【図８】図７に示す筆記芯補給口の内部構造を示した分解斜視図である。
【発明を実施するための形態】
【００１８】
以下、この発明に係るシャープペンシルについて、図に示す実施の形態に基づいて説明する。以下に示す各図においては、同一部分もしくは同一の機能を果たす部分を同一符号で示しているが、紙面の都合により一部の図面においては、代表的な部分に符号を付け、その詳細な構成はその他の図面に付けた符号を引用して説明する場合もある。
【００１９】
先ず図１〜図５は、この発明の第１の実施の形態を示したものであり、これは筆記圧を利用して筆記芯を回転させることができる回転駆動機構を備えたシャープペンシルに、この発明を採用した例を示したものである。
図１はその全体構成を断面図で示したものであり、符号１はその外郭を構成する軸筒を示し、符号２は前記軸筒１の先端部にねじ込みにより着脱可能に取り付けられた口先部材を示している。前記軸筒１内の中心部には筒状の芯ケース３が軸筒１と同軸状に収容されており、この芯ケース３の先端部には芯固定チャック４が連結されている。
【００２０】
この芯固定チャック４には、その軸芯に沿って通孔が形成され、真ちゅうにより形成された先端部が複数に分割されて、分割された先端部の周囲が真ちゅうによりリング状に形成された締め具５内に遊嵌するようにして装着されている。そして、リング状の前記締め具５は前記芯固定チャック４の周囲を覆うようにして配置された円筒状に形成された回転カム６の先端部内面に装着されている。
【００２１】
図２にも示されているように前記口先部材２より突出するようにして先端パイプ７が具備されており、この先端パイプ７の基端部は前記口先部材２内に位置するスライダー８の先端部内面に嵌合されて取り付けられている。前記スライダー８は、その基端部（後端部）側が大径となるように形成されており、その基端部内面が前記した回転カム６の先端部における周側面に嵌合されて取り付けられている。そして、図２に示したように前記先端パイプ７における芯繰り出し口の直近の内面に、中央に通孔が形成され筆記芯を摩擦により保持することができるゴム製の保持チャック９が収容されている。
【００２２】
前記した構成により、芯ケース３より芯固定チャック４内に形成された通孔、前記先端パイプ７および前記保持チャック９に形成された通孔を介して、先端パイプ７の芯繰り出し口に至る直線状の芯挿通孔が形成されており、この直線状の芯挿通孔内に後述する筆記芯（替え芯）が挿通される。そして、前記した回転カム６と芯固定チャック４との間の空間部には、コイル状のチャックスプリング１０が配置されている。
【００２３】
なお前記チャックスプリング１０の後端部は前記芯ケース３の端面に、また前記チャックスプリング１０の前端部は回転カム６内に形成された環状の端面に当接した状態で収容されている。したがって前記チャックスプリング１０の作用により、回転カム６内の芯固定チャック４は後退する方向に付勢され、その先端部が前記締め具５内に収容されることで、筆記芯は芯固定チャック４の通孔内において把持される。
【００２４】
前記した回転カム６は、その軸方向の中央部が径を太くした太径部になされ、その太径部の一端面および他端面にはそれぞれ多数の鋸歯状のカム面が円環状に連続して形成され第１および第２の回転カム面を構成している。
一方、前記回転カム６の後端部には、円筒状の上カム形成部材１２が前記回転カム６の後端部を覆うようにして軸筒１内に取り付けられており、前記上カム形成部材１２の前端部には、前記回転カム６における第１の回転カム面に対峙するようにして第１の固定カム面が形成されている。
【００２５】
さらに、前記回転カム６の外側に下カム形成部材１３が配置され、この下カム形成部材１３は軸筒１側に取り付けられ、かつ前記回転カム６における第２の回転カム面に対峙するようにして、第２の固定カム面が形成されている。
前記上カム形成部材１２および下カム形成部材１３における第１および第２の固定カム面は、それぞれ多数の鋸歯状のカム面が円環状に連続して形成されており、これらのカムのピッチはこれに対峙する前記回転カム６における第１および第２の回転カム面に施されたカムのピッチと同一となるように構成されている。
【００２６】
図１において、円筒状に形成された前記上カム形成部材１２の後端部内面には、円筒状のストッパー部材１４が嵌合されており、このストッパー部材１４の前端部と、円筒状に形成され軸方向に移動可能なトルクキャンセラー１５との間にはコイル状のクッションスプリング１７が装着されている。
【００２７】
前記クッションスプリング１７は、前記トルクキャンセラー１５を前方に付勢するように作用し、この付勢力を受けた前記トルクキャンセラー１５に押されて前記回転カム６は前方に向かうように構成されている。
【００２８】
また、軸筒１の後端部にはクリップ２１ａを一体に形成した円筒状のクリップホルダ２１が嵌め込まれて取り付けられており、図２にも示されているとおり前記クリップホルダ２１の内周面には、円筒状に形成されたノック棒２２が軸方向にスライド可能に収容されている。このノック棒２２は、前記したストッパー部材１４との間に配置された軸スプリング２３によって、軸筒の後方に向かって付勢され、ノック棒２２の一部に形成された環状の鍔部２２ａが前記クリップホルダ２１の前端部に当接することにより、ノック棒２２の脱落が阻止されるように構成されている。
【００２９】
前記ノック棒２２には、短軸部材２４が取り付けられており、この短軸部材２４の略中央部には通孔を中央部に形成した面２４ａ、すなわち前記芯ケース３への当接面が形成されると共に、前記短軸部材２４の後端部には、円錐面２４ｂが形成されている。前記短軸部材２４の後部には、その後端部側の径を若干細くしたスプリング受け２５が配置され、このスプリング受け２５の内部空間と前記短軸部材２４の円錐面２４ｂ側との間に、芯補給口の開閉機構を構成するゴム製の開閉弁２７が配置されている。
【００３０】
図３は、前記ゴム製の開閉弁２７を単独で示したものであり、（Ａ）は正面図で、（Ｂ）は（Ａ）におけるａ−ａ線より矢印方向に視た断面図で、（Ｃ）は斜視図でそれぞれ示している。
前記開閉弁２７は、図３に示すようにその外郭が円筒状になされ、この円筒状の中央部において軸に直交する方向に薄膜体２７ａが一体に形成され、この実施の形態においては前記薄膜体２７ａに十字状の切り込み２７ｂが形成されている。
【００３１】
図１および図２に戻り、前記ノック棒２２の後端部にはノックカバー２８が装着されており、このノックカバー２８にはその後端部に円錐状のガイド面２８ａが形成されると共に、このガイド面２８ａに続いて筆記芯の導入パイプ２８ｂが軸方向にノックカバー２８と一体に形成されている。また前記パイプ２８ｂを取り巻くようにして、前記スプリング受け２５とノックカバー２８の後端部内面との間に、リターンスプリング２９が装着されている。
【００３２】
そして、定常時においては、前記リターンスプリング２９の作用により筆記芯の導入パイプ２８ｂの先端部が、前記開閉弁２７の薄膜体２７ａに達しないように調整されている。すなわち、この実施の形態においては、後で詳細な動作説明をするとおり、ノックカバー２８に配置された筆記芯の導入パイプ２８ｂと前記開閉弁２７とにより、芯補給口の開閉機構が構成されている。
【００３３】
前記した構成のシャープペンシルによると、前記した芯固定チャック４に筆記芯が装着されている場合には、前記ノックカバー２８のノック操作により、筆記芯は先端パイプ７の芯繰り出し口より順次繰り出される。
すなわち、前記ノックカバー２８をノック操作することでノック棒２２が前進し、ノック棒２２に取り付けられた短軸部材２４の当接面２４ａが芯ケース３を前方に押し出す。これにより、芯固定チャック４の先端部が締め具５から突出することで筆記芯の把持状態が解除される。そして、前記ノック操作の解除により軸スプリング２３により芯ケース３は後退し、芯固定チャック４はチャックスプリング１０の作用により後退する。
【００３４】
この時、筆記芯は保持チャック９に形成された通孔において摩擦により保持される。この状態で芯固定チャック４は、その先端部が前記締め具５内に収容されることで筆記芯を再び把持状態にする。すなわち、前記したノックカバー２８のノック操作の繰り返しによる芯固定チャック４の前後動により筆記芯の解除と把持が行われ、これにより筆記芯は先端パイプ７の芯繰り出し口より順次繰り出されるように作用する。
【００３５】
加えて、このシャープペンシルにおいては、芯固定チャック４は筆記芯を把持した状態で、前記回転カム６と共に軸芯を中心にして回転可能となるように前記軸筒１内に収容されている。そして、前記したクッションスプリング１７の作用により前記トルクキャンセラー１５を介して回転カム６は前方に付勢されている。
【００３６】
この状態で、筆記がなされた場合、すなわち先端パイプ７から突出している図示せぬ筆記芯に筆記圧が加わった場合には、筆記芯を把持している前記芯固定チャック４はクッションスプリング１７の付勢力に抗して軸方向に僅かに後退し、これに伴って回転カム６も軸方向に後退する。したがって、回転カム６に形成されている円環状の第１の回転カム面は同じく円環状に形成された前記第１の固定カム面に接合して噛み合い状態になされ、回転カム６は第１回転カム面の一歯の半位相（半ピッチ）に相当する回転駆動を一方向に受ける。
【００３７】
一画の筆記が終わり、筆記芯に対する筆記圧が解かれた場合には、前記クッションスプリング１７の作用により回転カム６は軸方向に僅かに前進し、回転カム６に形成されている円環状の第２の回転カム面は同じく円環状に形成された前記第２の固定カム面に接合して噛み合い状態になされる。これにより、回転カム６は第２回転カム面の一歯の半位相（半ピッチ）に相当する回転駆動を再び受ける。
【００３８】
以上のとおり、前記したシャープペンシルによると、筆記圧を受けることによる回転カム６の軸方向への往復運動に伴って、回転カム６は一方向に間欠的に回転駆動を受ける。したがって、筆記芯は自身が受ける回転運動と筆記による摩耗とにより、先端部が常に円錐形状になされる。それ故、書き進むにしたがって筆記芯が偏摩耗するのを防止させることができ、安定した線幅による筆記が可能となる。
【００３９】
図４および図５は、前記した構成のシャープペンシルにおいて、筆記芯を補給する様子を順に説明するものである。
筆記芯を補給する場合には、先ず図４（Ａ）に示すようにノックカバー２８に設けられた筆記芯導入パイプ２８ｂに、筆記芯Ｌを挿入する。この場合、ゴム素材による開閉弁２７の薄膜体２７ａには切り込み２７ｂが施されているので、筆記芯Ｌの先端部は前記薄膜体２７ａの一部を変形させながら、抵抗なく挿入することができる。
【００４０】
そして、指先で芯Ｌの全体が芯導入パイプ２８ｂ内に入り込むように操作することで、芯先は芯ケース３内に入り込み、この状態で芯Ｌは、開閉弁２７の切り込み２７ｂによって保持された状態になされる。
【００４１】
図４（Ｂ）は、ノックカバー２８をノック操作した場合の初期状態を示しており、ノック操作によりノック棒２２が前進し、ノック棒２２に取り付けられた前記短軸部材２４の当接面２４ａが芯ケース３の後端部に当接した状態を示している。この状態においては、ばね定数（ｋ＝Ｐ／δ）の関係で、軸スプリング２３が若干縮み、ノックカバー２８内のリターンスプリング２９には変化がない。したがって、筆記芯Ｌは、開閉弁２７の切り込み２７ｂによって保持された状態のままとなる。
【００４２】
図５（Ｃ）は、ノックカバー２８のノック操作が進み、芯固定チャック４が締め具５から突出した状態を示す。これにより芯固定チャック４は筆記芯の把持を解除する状態になされる。しかし、この状態においても、筆記芯Ｌは開閉弁２７の切り込み２７ｂによって保持された状態が保たれる。
【００４３】
図５（Ｄ）は、ノックカバー２８のノック操作がさらに進んだ状態を示しており、芯固定チャック４は、筆記芯の把持を解除した状態にされたまま、芯固定チャック４のこれ以上の前進に限界が生ずる。このためにノック棒２２の前進は停止され、相対的にノックカバー２８内のリターンスプリング２９が軸方向に縮む。
この作用によりノックカバー２８に形成された筆記芯導入パイプ２８ｂの先端部は、開閉弁２７の薄膜体２７ａに形成された切り込み２７ｂに向かって入り込む。
【００４４】
これにより、芯補給口の開閉機構は開放され、開閉弁２７の切り込み２７ｂによって保持された芯Ｌは、重力によって芯固定チャック４側に向かって落下する。この時、芯固定チャック４は解除状態になされているので、筆記芯Ｌの先端部は、先端パイプ７の芯繰り出し口の直近に配置された保持チャック９の位置まで即座に到達（落下）する。以上の動作は、図４および図５に基づいて説明したとおりノックカバー２８の１回目のノック操作により実現する。
【００４５】
したがって、補給された筆記芯Ｌの先端部は、先端パイプ７の芯繰り出し口の直近に配置された保持チャック９の位置まで即座に到達するので、これに続いてノックカバーを１〜２回程度ノック操作をすることにより、芯固定チャック４および保持チャック９による筆記芯Ｌの繰り出し動作により、筆記芯Ｌの先端部は先端パイプ７より繰り出され、直ちに筆記が可能な状態となる。
【００４６】
次に図６〜図８は、この発明に係るシャープペンシルの第２の実施の形態を示したものであり、図は主に芯補給口の開閉機構を示すものである。なおこの第２の実施の形態においても口先部分の構成は図２に示した第１の実施の形態と同様であり、先端パイプ７における芯繰り出し口の直近に、筆記芯を摩擦により保持することができるゴム製の保持チャック９が収容された構成が採用される。
【００４７】
この第２の実施の形態におけるシャープペンシルにおけるノックカバー２８およびノック棒２２は、ノック操作を受けて軸方向に前進した状態でロックされ、再度のノック操作を受けて軸方向に後退して前記ロック状態が解除されるように構成されている。
図６は、後端部に構成される芯補給口の開閉機構の部分を断面図で示したものであり、（Ａ）はロック状態が解除されている場合（非ロック状態）を、（Ｂ）はノック操作を受けてロック状態になされている場合を示している。
【００４８】
図７に示されているように、ノックカバー２８の頂面には、周に沿って９０度間隔に開口３１が形成されている。一方、前記ノックカバー２８によって覆われるノック棒２２側においても、周に沿って９０度間隔に開口３２が形成されている。
この実施の形態においては、前記ノックカバー２８のノック操作により、前記ロック状態および非ロック状態が繰り返され、前記ロック状態および非ロック状態が繰り返される毎に、前記ノック棒２２側が軸を中心として４５度の回転動作を受けるように構成されている。
【００４９】
そして、前記ロック状態においてノックカバー２８に形成された開口３１と、ノック棒２２側に形成された開口３２とが軸方向で一致し、筆記芯の補給口が開口される。また非ロック状態においては、両者の開口が軸方向で一致せず、芯補給口の開閉機構は閉じた状態になされる。前記したようにロック状態になされ、筆記芯の補給口が開口された状態で筆記芯を補給することで、筆記芯は図６に示す芯ケース３内に直ちに入り込む。
【００５０】
図８は、前記芯補給口の開閉機構を構成する各部材を分解した状態で示したものであり、その一部を斜視図で、他の一部を軸方向で半割りにした状態で示している。前記ノックカバー２８は筒状体３４の一端部に取り付けられ、この筒状体３４の他端部の周面には８つの凸状部材３５が周方向に等間隔をもって配置されている。また筒状体３４の凸状部材３５が形成された端面には、山谷が連続する山谷部３６が形成されており、この例においては、一周で８つの山谷が連続して形成されている。
【００５１】
一方、符号２２で示すノック棒の端部周面には４つのリブ部材３８が、周方向に等間隔をもって形成されており、これら各リブ部材３８の後部寄りには傾斜面３８ａがそれぞれ形成されている。前記ノック棒２２は、前記筒状体３４の山谷部３６が形成された開口から挿入され、各リブ部材３８の傾斜面３８ａが、筒状体３４の山谷部３６に接するように組み立てられる。
またノック棒２２のリブ部材３８が形成された開口には、軸スプリング２３によって付勢されるスライド管３９の端面が当接される。すなわち軸スプリング２３は、図６に示すように、軸筒１内の一部に嵌合されたストッパー部材１４によって支えられている。
【００５２】
前記軸筒１内には、図８に示したように軸方向に８つの溝部が形成され、溝の深さが深い溝部４１と、溝の深さが浅い溝部４２とが周方向に交互に形成されている。そして、浅い溝部４２が形成された前端部側には、幅の広い傾斜面４４および幅の狭い傾斜面４５が軸筒内に連続して形成されている。
【００５３】
前記筒状体３４に形成された８つの凸状部材３５は、軸筒１内に形成された８つの溝部４１，４２入り込んでスライドし、したがって筒状体３４に取り付けられたノックカバー２８は、ノック操作により軸方向にのみ摺動し、回動不能になされている。
一方、筒状体３４内に収容されたノック棒２２におけるリブ部材３８は、軸筒１に形成された深い溝部４１内に落ち込むか、もしくは幅の広い傾斜面４４に係合された状態になされる。
【００５４】
例えば、前記した非ロック状態においては、前記ノック棒２２のリブ部材３８は、軸筒１に形成された深い溝部４１内に落ち込んで、ノック棒２２はノックカバー２８と共に軸筒の後端部から突出した状態になされ、この時、芯補給口の開閉機構は閉じた状態になされている。
この状態で、ノックカバー２８をノック操作すると、ノック棒２２のリブ部材３８は、筒状体３４の山谷部３６に押されて前進し、山谷部３６と傾斜面３８ａの作用により、軸筒１に形成された幅の広い傾斜面４４に乗り上げる。この時、ノック棒２２は４５度軸回転すると共に、前記したロック状態になされる。この時、芯補給口の開閉機構は開いた状態になされる。
【００５５】
このロック状態において、ノックカバー２８を再びノック操作をすると、ノック棒２２のリブ部材３８は、軸筒１に形成された幅の狭い傾斜面４５を乗り上げ、続いて軸筒１に形成された深い溝部４１内に落ち込んで、非ロック状態になされる。
【００５６】
すなわち、ノック棒２２をノック操作する毎に前記したロック状態および非ロック状態が繰り返されることになり、これに連動してすでに説明したとおり、芯補給口の開閉機構が開閉される。
さらにロック状態においては、図６に示すようにスライド管３９の前端面が芯ケース３を押し出し、芯ケース３の前端部に配置された前記した芯固定チャック４は、筆記芯の把持が解除されるようになされる。
【００５７】
図６〜図８に示した第２の実施の形態においても、ロック状態においては、芯補給口の開閉機構は開放され、芯補給口において補給された筆記芯は、先端パイプ７の芯繰り出し口の直近に配置された保持チャック９の位置まで即座に到達（落下）する。
したがって、ノックカバーを１〜２回程度ノック操作をすることにより、芯固定チャック４および保持チャック９による筆記芯Ｌの繰り出し動作により、筆記芯Ｌの先端部は先端パイプ７より繰り出され、直ちに筆記が可能な状態となる。
【００５８】
したがって、図１〜図５に示した第１の実施の形態および図６〜図８に示した第２の実施の形態においても、筆記芯の補給時において、キャップの取り外しや再装着、また数多く必要としたノック操作の繰り返しを不要にすることができる。
【００５９】
なお、以上説明した実施の形態においては、筆記に伴い筆記芯を回転させる回転駆動機構を備えているが、この発明は前記した特定な構成のシャープペンシルに適用されるだけでなく、前記した芯の回転駆動機構が備えられていないその他のシャープペンシルに適用しても同様の作用効果を期待することができる。
【符号の説明】
【００６０】
１      軸筒
２      口先部材
３      芯ケース
４      芯固定チャック
５      締め具
６      回転カム
７      先端パイプ
８      スライダー
９      保持チャック
１０    チャックスプリング
１２    上カム形成部材
１３    下カム形成部材
１４    ストッパー部材
１５    トルクキャンセラー
１７    クッションスプリング
２１    クリップホルダ
２２    ノック棒
２３    軸スプリング
２４    短軸部材
２５    スプリング受け
２７    開閉弁
２７ａ  薄膜体
２７ｂ  切り込み
２８    ノックカバー
２８ａ  ガイド面
２８ｂ  筆記芯導入パイプ
２９    リターンスプリング
３１，３２  開口
３５    凸状部材
３６    山谷部
３８    リブ部材
４１，４２  溝部
Ｌ      筆記芯
【図１】
0005996219.tif 000002
【図２】
0005996219.tif 000003
【図３】
0005996219.tif 000004
【図４】
0005996219.tif 000005
【図５】
0005996219.tif 000006
【図６】
0005996219.tif 000007
【図７】
0005996219.tif 000008
【図８】
0005996219.tif 000009